(57)【要約】共通の端末部に接続された多数の回路が切替えられ、そこではそれらの回路に導通される周波数バンドが近接している。各回路はフィルタと機器とを含む共通の端末部への独立した信号経路をもっている。各機器には第１と第２の状態がある。各回路は、第１の周波数バンドを通過させ、実質的には第２の周波数バンドをブロックする第１のフィルタ特性をもつ。各回路は、その機器が第２の状態にあるときに実質的には第１及び第２の周波数バンドをブロックする第２のフィルタ特性をもち、第２のフィルタ特性は、その機器とフィルタとが組合わされて作用していることの結果である。その結果、周波数マルチプレクサは共通の端末部に接続される周波数の狭帯域において、最小の信号損失で、多数の周波数バンドをもつことができる。
2004504759.tif 000002
【特許請求の範囲】
【請求項１】
周波数バンド間を切り替える周波数マルチプレクサであって、
共通の端末部に接続され、夫々がフィルタと、前記フィルタに接続される機器とを有する複数の回路を有し、
前記機器は第１と第２の状態があり、
前記複数の回路各々は、第１の周波数バンドを通過させ、前記機器が前記第１の状態にあるときに実質的には第２の周波数バンドをブロックする第１のフィルタ特性をもち、
前記複数の回路各々は、前記機器が前記第２の状態にあるときに実質的には前記第１及び第２の周波数バンドをブロックする第２のフィルタ特性をもち、
前記第２のフィルタ特性は、前記機器と前記フィルタとが組合わされて作用していることの結果であることを特徴とする周波数マルチプレクサ。
【請求項２】
前記第１の状態或いは前記第２の状態に前記機器各々を選択的に置くコントローラをさらに有し、
前記複数の回路の１つが前記第１の周波数バンドの信号を導通するとき、前記コントローラは前記複数の回路の残りの機器各々を前記第２の状態に置くことを特徴とする請求項１に記載の周波数マルチプレクサ。
【請求項３】
前記コントローラは、複数の個々のコントローラを有し、夫々が前記複数の回路の１つに対応した回路の機器を制御することを特徴とする請求項２に記載の周波数マルチプレクサ。
【請求項４】
前記機器各々は、
スイッチ機器と
素子とを有することを特徴とする請求項２に記載の周波数マルチプレクサ。
【請求項５】
前記素子は、キャパシタであることを特徴とする請求項４に記載の周波数マルチプレクサ。
【請求項６】
前記スイッチ機器は、ダイオードであることを特徴とする請求項４に記載の周波数マルチプレクサ。
【請求項７】
各ダイオードは、ＰＩＮダイオードであることを特徴とする請求項６に記載の周波数マルチプレクサ。
【請求項８】
前記複数の回路の前記第２の周波数バンド夫々は、同じ周波数バンドであることを特徴とする請求項２に記載の周波数マルチプレクサ。
【請求項９】
フィルタと、前記複数の回路の前記第２の周波数バンド各々を通過させ、前記複数の回路各々の前記第１の周波数バンド各々を実質的にブロックするフィルタ特性をもつ代替回路をさらに有することを特徴とする請求項８に記載の周波数マルチプレクサ。
【請求項１０】
前記コントローラは、前記代替回路が前記第２の周波数バンドの信号を導通しているときに、前記機器各々を前記第１の状態に置くことを特徴とする請求項９に記載の周波数マルチプレクサ。
【請求項１１】
各フィルタは、
フィルタキャパシタに直列接続される第１のインダクタと、
前記第１のインダクタと前記フィルタキャパシタの両方に並列接続される第２のインダクタとを有することを特徴とする請求項１に記載の周波数マルチプレクサ。
【請求項１２】
各機器は、
スイッチ機器に直列接続される第１のキャパシタを有し、
前記スイッチ機器と前記第１のキャパシタは前記第１のインダクタに並列接続されることを特徴とする請求項１１に記載の周波数マルチプレクサ。
【請求項１３】
各スイッチ機器は、ダイオードであることを特徴とする請求項１２に記載の周波数マルチプレクサ。
【請求項１４】
各ダイオードは、ＰＩＮダイオードであることを特徴とする請求項１に記載の周波数マルチプレクサ。
【請求項１５】
前記第１の周波数バンド各々は高周波数バンドであり、前記第２の周波数バンド各々は低周波数バンドであることを特徴とする請求項１に記載の周波数マルチプレクサ。
【請求項１６】
周波数バンド間の切替えを行う方法であって、
複数の回路からアクティブな回路を選択する工程と、
前記アクティブな回路の機器を第１の状態に設定する工程と、
前記選択されていない全ての回路の機器を第２の状態に設定する工程とを有し、
前記複数の回路各々は、共通の端末部に接続されており、
前記複数の回路各々は、第１の周波数バンドを通過させ、前記機器が前記第１の状態にあるときに実質的には第２の周波数バンドをブロックする第１のフィルタ特性をもち、
前記複数の回路各々は、前記機器が前記第２の状態にあるときに実質的には前記第１及び第２の周波数バンドをブロックする第２のフィルタ特性をもち、
前記第２のフィルタ特性は、前記機器と前記フィルタとが組合わされて作用していることの結果であることを特徴とする方法。
【請求項１７】
信号を前記アクティブな回路を通って導通させる工程をさらに有し、
前記信号は前記アクティブな回路の前記第１の周波数バンドにあることを特徴とする請求項１６に記載の方法。
【発明の詳細な説明】
【０００１】
発　明　の　背　景
本発明は一般には無線通信システム関するものであり、特に、種々の周波数間での切替えを行うスイッチイング機器に関するものである。本発明は、相対的に近接しているか或いは同じ周波数バンドにさえある２つの無線信号を切替える機器と方法である。
【０００２】
セルラ電話システムは、急速に世界中で広がっている。セルラ通信への要求が増えてくるにつれ、通信に用いられる周波数バンドの数もまた増加する。加えて、異なる標準が実施されているので、それらの標準もまた、どの通信を行うのかにより異なる周波数バンドや狭帯域周波数を必要とするかもしれない。１７５０ＭＨｚ／１９００ＭＨｚ／２１００ＭＨｚのような近接する周波数バンドが種々のシステムにおいて実現されるかもしれない。例えば、いくつかの現存するシステムについての運用周波数は、ＰＣＮ（Ｐｅｒｓｏｎａｌ Ｃｏｍｍｕｎｉｃａｔｉｏｎ Ｎｅｔｗｏｒｋ）の１７１０〜１８００ＭＨｚ、ＰＣＳ（Ｐｅｒｓｏｎａｌ Ｃｏｍｍｕｎｉｃａｔｉｏｎ Ｓｙｓｔｅｍ）の１８５０〜１９９０ＭＨｚ、及びＤＥＣＴ（Ｄｉｇｉｔａｌ Ｅｕｒｏｐｅａｎ Ｃｏｒｄｌｅｓｓ Ｔｅｌｅｐｈｏｎｅ）の１８８０〜１９００ＭＨｚを含んでいる。ＷＣＤＭＡ（広帯域符号分割多元接続）、ＧＳＭ（汎欧州デジタル移動電話方式）、ＤＣＳ（Ｄｉｇｉｔａｌ Ｃｅｌｌｕａｒ Ｓｙｓｔｅｍ）などのような加えられたシステムは、限定された範囲の周波数において付加的なバンドを必要とするかもしれない。加えて、各システムは、例えば、アンテナのような共通の端末部（ｔｅｒｍｉｎａｌ）で結合されることになる、信号経路における異なる回路／構成要素（Ｔｘ／Ｒｘスイッチ、増幅器など）を必要とするかもしれない。全ての地理的な領域が同じシステムによってサービスを受けるわけではないので、多数のシステムにアクセスできることが望ましい。それ故に、１つの機器で種々のシステムをサポートできることが望ましい。そのようにするため、種々の信号経路を共通の端末部に接続し、各システムで用いられるために別々の機器を提供することから生じる実質的なコストと空間の必要性とを回避することが好ましい。
【０００３】
ある通信システムでは、広く分離された周波数バンドをもつマルチ周波数システムが可能である。例えば、現在のＧＳＭシステムは９００ＭＨｚで運用している一方、ＤＣＳシステムは１７５０ＭＨｚで運用している。この広い周波数バンドの分離により、図１に示されているような、またＰＣＴ出願の国際公開公報ＷＯ９９／５２１７２、そして、ここで参照によりその全体が本願に組み込まれる関連する係属中の米国特許出願第０９／２８７，５４６号に説明されるような周波数ディプレクサシステムを可能にしている。そのシステムは、アンテナのような共通の出力３００において結合される低いバンド入力１００と高いバンド入力２００とがある。低周波数信号の経路は、インダクタＬ１０１とキャパシタＣ１０１とＣ１０２とによって形成されるフィルタを含んでいる。同様に、高周波数の経路は、加えて、インダクタＬ２０１とＬ２０２とキャパシタＣ２０１とによって形成されるフィルタを含んでいる。これらのフィルタは夫々、各低周波数と高周波数のバンドの周波数に対応するパスバンドをもち、これに対応して他の周波数をブロックする。低周波数バンドと高周波数バンドとが広く分離されていることにより、それらのフィルタが所望の低いバンド１００或いは高いバンド２００の周波数信号を導通させ、望まない周波数信号を遮断することが可能になる。例えば、低いバンドの入力１００がアクティブであるとき、高いバンドパスにおけるフィルタ２０５は出力３００において結合される低いバンド出力が高いバンド入力２００に達しないように効果的にブロックする。同様に、高いバンドの入力２００がアクティブであるとき、低いバンドパスにおけるフィルタ１０５は出力３００において結合される高いバンド出力が低いバンド入力１００に達しないように効果的にブロックする。
【０００４】
図１に描かれたディプレクサシステムは周波数バンドの分離が広い場合には、その応用において有用であるが、その周波数バンドがＤＣＳの１７５０ＭＨｚ、ＧＳＭシステムの新しい代替周波数バンドであるＧＳＭ−１９００の１９００ＭＨｚのように相対的に近接しているシステムに関しては、効果的ではない。具体的に言えば、それらの周波数バンドが相対的に近接しているとき、それらのフィルタは、入力から共通出力へと所望の周波数で信号を導通可能にするパスバンドを提供できないし、他の入力が導通しているとき所望ではない周波数を依然としてブロックしている。
【０００５】
要　　約
この明細書において、“有する”、及び“有している”という用語が用いられるとき、それは述べられた特徴、整数、工程、或いは構成要素の存在を特定するためにとられたものであるが、これらの用語の使用は、１つ以上の他の特徴、整数、工程、構成要素、或いは、それのグループの存在や付加を排除するものではないことを強調しておきたい。
【０００６】
本発明により、相対的に近接した周波数バンドをもつ種々の信号が共通の端末部に接続可能になる。本発明は、共通の端末部に接続され、複数の回路を有する、周波数バンド間での切替えを行う周波数マルチプレクサを提供するものである。それら複数の回路各々は、フィルタとそのフィルタに接続される機器とを有している。その機器は第１と第２の状態がある。各回路は、第１の周波数バンドを通過させ、その機器が第１の状態にあるときに実質的には第２の周波数バンドをブロックする第１のフィルタ特性をもつ。また、各回路は、その機器が第２の状態にあるときに実質的には第１及び第２の周波数バンドをブロックする第２のフィルタ特性をもち、第２のフィルタ特性は、その機器とそのフィルタとが組合わされて作用していることの結果である。
【０００７】
本発明の上記特徴と利点とは、図面を参照してなされる本発明についての次の詳細な説明から、より明らかになるであろうし、本発明の付加的な特徴やその利点も認識されるであろう。
【０００８】
本発明を添付図面に関連して説明する。
【０００９】
詳　細　な　説　明
本発明の種々の実施形態の詳細について扱う前に、本発明の簡単な概要が備えられる。
【００１０】
本発明は、周波数バンド間を切り替える周波数マルチプレクサを提供するものである。その周波数マルチプレクサは、独立した端末部と共通の端末部との間に挟まれた独立の回路各々を通して第１と第２の高周波数バンドの信号を通過させる。各回路は、フィルタと機器とを有している。各回路は、第１の周波数バンドを通過させ、その機器が第１の状態にあるときに実質的には第２の周波数バンドをブロックする第１のフィルタ特性をもっている。各回路は、その機器が第２の状態にあるときに実質的には第１及び第２の周波数バンドをブロックする第２のフィルタ特性をもち、第２のフィルタ特性は、その機器とフィルタとが組合わされて作用していることの結果である。１つの回路と共通の端末部との間で信号が導通されるとき、別の回路の機器は第２の状態に置かれるのが好ましい。例えば、第１の高周波数バンドがアクティブにあるとき、第２の回路の機器は第２の状態に置かれ、それにより実質的に第１と第２の高周波数バンド及び低周波数バンドをブロックする。第１の回路における機器が第１の状態に置かれることにより、第１の高周波数バンドの信号が第１の回路と共通の端末部との間で導通されることが許される。或いは、第２の高周波数バンドがアクティブにあるとき、第１の回路の機器は第２の状態に置かれ、それにより実質的に第１と第２の高周波数バンド及び低周波数バンドをブロックする。第２の回路における機器が第１の状態に置かれることにより、第２の高周波数バンドの信号が第１の回路と共通の端末部との間で導通されることが許される。
【００１１】
低周波数バンドを組み入れる代替回路が上述したディプレクサにあるように備えられても良い。具体的には、低周波数バンドの回路は共通端末部に接続されるフィルタを含んでおり、そのフィルタは低周波数バンドを通過させ、高周波数バンドの全ての周波数をブロックするように設計されている。
【００１２】
本発明の１つの実施形態において、各機器はスイッチング素子とキャパシタとを含む。別の実施形態においては、各スイッチ素子はダイオード、好ましくは、高い線形性と低消費電力のＰＩＮダイオードが良い。
【００１３】
さて、図２において、都合良く本発明を組み込む周波数マルチプレクサが示されている。１つの実施形態において、第１の高周波数バンドの端末部１０、第２の高周波数バンドの端末部２０、低周波数バンドの端末部３０が夫々、個別のフィルタ１５、２５、３５を介して共通の端末部５０に接続されている。個別の周波数バンド端末部１０、２０、３０は、アイソレータ、ローパスフィルタ、増幅器、ＤＣ電源などのような種々の付加的な構成要素を含んでいても良く、それらはブロックの形で表現されている。本発明の目的のため、信号経路が分離されており、共通の端末部５０で結合されることになることだけが必要である。低いバンドの端末部３０の周波数バンドは、第１の高いバンドの端末部１０と第２の高いバンドの端末部２０の周波数からは遠く分離されている。しかしながら、端末部１０と端末部２０との高周波数バンドは互いに近接しており、同じ周波数であってさえ良い。
【００１４】
本発明の高周波数バンドの部分は、インダクタＬ１、Ｌ１１とキャパシタＣ１１から形成される第１のフィルタ１５と、インダクタＬ２、Ｌ２１とキャパシタＣ２１から形成される第２のフィルタ２５とを備えている。第１の回路は端末部５０と端末部１０との間に接続される。第２の回路はフィルタ２５と機器２２とで形成される。第２の回路は端末部５０と端末部２０との間に接続される。各機器には第１と第２の状態がある。各回路は、第１の周波数バンドを通過させ、その機器が第１の状態にあるときに実質的には第２の周波数バンドをブロックする第１のフィルタ特性をもっている。各回路は、その機器が第２の状態にあるときに実質的には第１及び第２の周波数バンドをブロックする第２のフィルタ特性をもち、第２のフィルタ特性は、その機器とフィルタとが組合わされて作用していることの結果である。次の機能説明は、機器１２を代表するものとしてスイッチ素子ＳＷ１、キャパシタＣ１により、機器２２を代表するものとしてスイッチ素子ＳＷ２、キャパシタＣ２により扱われる。各機器は１つのスイッチ素子と１つのキャパシタによって表現されるが、本発明はこの実施形態によって限定されるものではない。
【００１５】
各信号経路は図１に示されたようなディプレクサの高いバンドの経路に類似している。しかしながら、相対的に近接したバンドをもつ信号を効果的に多重化するために、付加的な構成要素が高いバンドの信号経路に備えられている。信号経路は第１と第２の回路によって形成されており、それら回路は夫々、スイッチング素子ＳＷ１、キャパシタＣ１、フィルタ１５と、スイッチング素子ＳＷ２、キャパシタＣ２、フィルタ２５を含んでいる。加えて、コントローラ１Ａ、２Ａは夫々、第１の機器１２と第２の機器２２とを選択的に第１の状態、第２の状態に置くように備えられている。具体的には、図２に関係して、コントローラ１Ａはスイッチ素子ＳＷ１をオン／オフするために備えられ、コントローラ２Ａはスイッチ素子ＳＷ２をオン／オフするために備えられている。なお、当業者であれば、個々のコントローラ１Ａ、２Ａが両方の機器を制御できる単一のコントローラによって置換しても良いことを認識するであろう。
【００１６】
信号が端末部２０と端末部５０との間で導通されているとき、ＳＷ１は、端末部１０と端末部５０との間の信号経路にキャパシタＣ１を配置するコントローラ１Ａによってオンされる。キャパシタＣ１はフィルタ１５の構成要素とともに、端末部１０と端末部５０との間で導通される低いバンドの信号と高いバンドの信号の両方を実質的にブロックするという端末部１０と端末部５０との間の第２のフィルタ特性を形成する。スイッチ素子ＳＷ２はコントローラ２Ａによりオフされる。それ故に、端末部２０と端末部５０との間の信号経路は効果的にはただフィルタ２５のみを含むことになる。従って、第２の回路は意図された周波数バンドを通過させることが可能な第１のフィルタ特性をもつ。
【００１７】
或いは、信号が端末部１０と端末部５０との間で導通されているとき、スイッチ素子ＳＷ２は、端末部２０と端末部５０との間の信号経路にキャパシタＣ２を配置するコントローラ２Ａによってオンされる。キャパシタＣ２はフィルタ２５の構成要素とともに、端末部２０と端末部５０との間で導通される低いバンドの信号と高いバンドの信号の両方を実質的にブロックするという端末部２０と端末部５０との間の第２のフィルタ特性を形成する。スイッチ素子ＳＷ１はコントローラ１Ａによりオフされ、そして、端末部１０と端末部５０との間の信号経路は効果的にはただフィルタ１５のみを含むことになる。従って、第１の回路は意図された周波数バンドを通過させることが可能な第１のフィルタ特性をもつ。
【００１８】
端末部３０、及びフィルタ３５によって形成される代替回路を含む、低いバンドの信号経路に関係した周波数マルチプレクサの機能は、図１に示されたディプレクサのそれと類似している。具体的には、低周波数バンドと高周波数バンドとが広く分離していることにより、インダクタＬ３１、及びキャパシタＣ３１とＣ３２によって形成されるフィルタ３５が端末部３０と端末部５０との間での所望の低いバンドの信号を導通させ、フィルタ１５と２５との関係した高いバンドの信号を遮断することが可能である。それ故に、付加的な構成要素を低いバンドの信号経路に備える必要はない。加えて、低いバンドの端末部３０がアクティブであるとき、スイッチ素子ＳＷ１とＳＷ２の両方ともオープン状態に留まることができる。なぜなら、フィルタ１５と２５との作用は低いバンドの信号をブロックするのに十分であるからである。従って、付加的な電力の消費はない。
【００１９】
前述の例は、切替えられる２つの周波数バンドだけを用いたが、本発明では、上述のように対応するフィルタ、素子、及びコントローラを備えることにより、付加的な周波数バンドを付加することができる。付加的なバンドが付加されることに係わりなく、各インアクティブな信号経路において第１及び第２の周波数バンドを実質的にブロックすることにより、周波数マルチプレクサは信号損失を最小にして機能する。
【００２０】
図３には、別の実施形態が示されており、そこではスイッチング機能がダイオードによって実行される。図２と図３において同様のラベルが付された全ての構成要素は同じ機能を実行するので、全システムを完全に再び引用することはしない。
【００２１】
好適な実施形態において、ダイオードＤ１はスイッチ素子として作用し、キャパシタＣ１に関して効果的にオープン／クローズを行う。そして、ダイオードＤ２はスイッチ素子として作用し、キャパシタＣ２に関して効果的にオープン／クローズを行う。制御回路１はダイオードＤ１がオンするかオフするかを制御する。ダイオードＤ１がオンに切替えられることが望まれると、制御回路１によって制御されたＤＣ電流がダイオードＤ１を通過していく。そのＤＣ電流は端末部１０と端末部２０の内の少なくともいずれか、或いは公知のような他の適切な接続においてＤＣ電源（不図示）から引き出される。抵抗Ｒ１はＤ１によって導通されるＤＣ電流を制限するように働く。加えて、抵抗Ｒ１は高インピーダンスとしての役目を果たし制御回路１へと漏れていく高いバンドの信号と低いバンドの信号とをブロックする。同様に、制御回路２はダイオードＤ２がオンするかオフするかを制御する。ダイオードＤ２がオンに切替えられることが望まれると、制御回路２によって制御されたＤＣ電流がダイオードＤ２を通過していく。そのＤＣ電流は端末部１０と端末部２０の内の少なくともいずれか、或いは公知のような他の適切な接続においてＤＣ電源（不図示）から引き出される。抵抗Ｒ２はＤ２によって導通されるＤＣ電流を制限するとともに、高インピーダンスとしての役目を果たし制御回路２へと漏れていく信号をブロックする。
【００２２】
動作的には図２に示された実施形態と類似しているが、端末部１０と端末部５０との間の信号が導通されることになるとき、ダイオードＤ２はオンになる。ダイオードＤ２をオンにすることにより、キャパシタＣ２が端末部２０と端末部５０との間の信号経路に置かれることになる。インダクタＬ２とキャパシタＣ２とで高周波数信号をブロックする並列共振回路を形成する。Ｃ２１とＬ２１とによって形成される存在している並列共振回路は既に低周波数信号をブロックする働きをしている。キャパシタＣ２は、キャパシタＣ２、インダクタＬ２、キャパシタＣ２１、及びインダクタＬ２１によって形成される回路が、高周波数バンドと低周波数バンドの両方に関して、端末部５０と端末部２０との間で高インピーダンスを創成し、これにより実質的にどんな信号伝送もブロックするように設計されている。第１の回路のダイオードＤ１はオフ状態に留まり、それ故にキャパシタＣ１は第１の回路から取り去られ、端末部１０から端末部５０への信号経路はフィルタ１５だけを含むことになる。フィルタ１５は端末部１０の所望の周波数バンドを通過させるように設計されている。
【００２３】
もし、端末部２０と端末部５０との間で信号が導通されることになるなら、ダイオードＤ２はオフになり、ダイオードＤ１はオンになり、それにより、キャパシタＣ１が端末部１０と端末部５０との間の信号経路に置かれることになる。キャパシタＣ１はインダクタＬ１とともに並列共振回路を形成する。Ｃ１１とＬ１１とによって形成される存在している並列共振回路は既に低周波数信号をブロックする働きをしている。キャパシタＣ１はまた、フィルタ１５とともに含まれるとき、高周波数バンドと低周波数バンドの両方において、端末部１０と端末部５０との間の信号経路に関して高インピーダンスが形成され、これにより、端末部５０と端末部１０との間のどんな信号伝送もブロックするように選択されている。同様に、ダイオードＤ２がオフになると、キャパシタＣ２は効果的に第２の回路から取り去られ、端末部２０から端末部５０への信号経路はフィルタ２５だけを含むことになる。フィルタ２５は、端末部２０の所望の周波数バンドを通過させるように設計されている。
【００２４】
ＰＩＮダイオードは非常に線形性があり、高電流を導通でき、スイッチングのためにダイオード当たり０．２ｍＡ未満の電流しか必要としないので、スイッチング素子としてＰＩＮダイオードが用いられるのが好適である。また、前に検討したように、低周波数バンドの信号経路はディプレクサの構成からは変形されないので、低いバンドが用いられるとき、両方のダイオードはオフの状態に残され、それ故に付加的な電力消費は必要とされない。
【００２５】
図４のフローチャートは、コントローラ或いは各回路の個々のコントローラにより実施される本発明の周波数マルチプレクサを実行する方法を呈示している。その方法は、信号経路のいずれかがアクティブ、例えば、信号を送信するために選択されているかどうかを、ステップ５１０、５２０、及び５３０において判断することにより開始される。もし、どの信号経路もアクティブではないなら、ステップ５４０において全ての回路の各機器が第１の状態に置かれる。各機器が第１の状態にあると、各回路は第１の周波数バンドを導通し、全ての第２の周波数バンドを実質的にブロックできる。各機器にはまた第２の状態もある。第２の状態では、各機器は各回路のフィルタと連携して動作し、回路の周波数応答を変更し、第１及び第２の周波数バンドの全てが実質的にブロックされるようにする。各第１の状態では、各機器は各フィルタの周波数応答を変更せず、その次に、各第１の周波数バンドは通過させられ、そして、第２の周波数バンド全ては実質的にブロックされる。第１の周波数バンド全ては相対的に互いに対して近接していなければならず、第２の周波数バンド全ては相対的に互いに対して近接していなければならない。加えて、第１の周波数バンド全てと第２の周波数バンド全ての間には広い周波数分離があるべきである。
【００２６】
もし、第１の信号経路がアクティブであるなら、ステップ５１２において、第１の回路の機器は第１の状態に置かれ、それにより、第１の回路はその第１の周波数バンドを通過させることができる。残りの回路における他の全ての機器はステップ５１４において、第２の状態に置かれる。その結果、第１及び第２の周波数バンド全ては、アクティブではない信号経路において実質的にブロックされる。正しく構成された周波数マルチプレクサを用い、ステップ５１６において、信号は第１の信号経路において送信される。ステップ５１８では、第１の信号経路が、それが依然としてアクティブであることを検証するためにチェックされる。その信号経路のディアクティベーション時には、処理は最初に戻り、アクティブな信号経路を探すことに進む。
【００２７】
第２の信号経路がアクティブであることを見出したとき、ステップ５２０では、第２の回路の機器が第１の状態に置かれ、それにより、ステップ５２２において、第２の回路はその第１の周波数バンドを通過させることができる。残りの回路における他の全ての機器はステップ５２４において、第２の状態に置かれ、それにより、第１及び第２の周波数バンド全てを、アクティブではない信号経路において実質的にブロックする。正しく構成された周波数マルチプレクサを用い、ステップ５２６において、信号は第２の信号経路において送信される。ステップ５１８では、第２の信号経路が、それが依然としてアクティブであることを検証するためにチェックされる。第２の信号経路のディアクティベーション時には、処理は最初に戻り、アクティブな信号経路を探すことに進む。
【００２８】
第Ｎ番目の信号経路がアクティブであることを見出したとき、ステップ５３０では、第Ｎ番目の回路の機器が第１の状態に置かれ、それにより、ステップ５３２において、第Ｎ番目の回路はその第１の周波数バンドを通過させることができる。残りの回路における他の全ての機器はステップ５３４において、第２の状態に置かれ、それは、第１及び第２の周波数バンド全てを、アクティブではない信号経路において実質的にブロックする。正しく構成された周波数マルチプレクサを用い、ステップ５３６において、信号は第Ｎ番目の信号経路において送信される。ステップ５３８では、第Ｎ番目の信号経路が、それが依然としてアクティブであることを検証するためにチェックされる。第Ｎ番目の信号経路のディアクティベーション時には、処理は最初に戻り、アクティブな信号経路を探すことに進む。
【００２９】
これまでに本発明の原理、好適な実施形態、及び動作の態様について説明した。しかしながら、本発明は上述した特定の実施形態によって限定されると解釈されるべきではない。例えば、上述の実施形態はダイオードスイッチを用いた。しかしながら、当業者であれば、本発明は、トランジスタ、ＭＯＳＦＥＴなどの何らかの適切なスイッチング素子を用いて実現されることを認識するであろう。また、フィルタはただ３つの受動的な構成要素を含んでいるが、当業者であれば、同じ結果が、受動的素子と能動的素子と両方の種々の異なる組み合わせによって達成されるものであることを認識するであろう。さらに、当業者であれば、本発明は複数の低いバンドの信号経路に相対的に互いに近接した低いバンドを備えるためにも実践されても良いことを認識するであろう。このことは、例えば、低いバンドにおけるフィルタに接続される付加的なインダクタを切替えて、そのインダクタを選択してフィルタとともに低いバンドの信号経路において高インピーダンスを創成することにより成し遂げられるかもしれない。
【００３０】
加えて、上述の方法の工程に対する代替的な実施形態も当業者には認識されるであろう。一例として、第２のセットの周波数バンドは同じ方法で多重化される並列なセットの信号経路をもつこともできる。そのようなシステムにおいて、第１の（高）周波数バンドにおける信号経路と第２の（低）周波数バンドにおける信号経路とは互いに対して独立に選択される。また別の代替的な実施形態において、信号経路に重み付けを行い、優先付けを行う種々の方法が信号動作の検出／選択処理に付加されても良い。
【００３１】
それ故、上述の実施形態は限定的なものではなく例示的なものとしてみなされるべきであり、添付の請求の範囲によって定義されるような本発明の範囲を逸脱することなく、当業者によって種々の変更がこれらの実施形態に対してなされても良いことが認識されるべきである。
【図面の簡単な説明】
【図１】
フィルタを介して共通の端末部に接続されたローバンドとハイバンドの端末部をもつディプレクサ回路を示している。
【図２】
本発明の代表的な周波数マルチプレクサを示している。
【図３】
本発明の周波数マルチプレクサの好適な実施形態を示している。
【図４】
本発明の周波数マルチプレクサを実施する方法のフローチャートを示している。
【図１】
2004504759.tif 000003
【図２】
2004504759.tif 000004
【図３】
2004504759.tif 000005
【図４】
2004504759.tif 000006
【国際公開パンフレット】
2004504759.tif 000007
2004504759.tif 000008
2004504759.tif 000009
2004504759.tif 000010
2004504759.tif 000011
2004504759.tif 000012
2004504759.tif 000013
2004504759.tif 000014
2004504759.tif 000015
2004504759.tif 000016
2004504759.tif 000017
2004504759.tif 000018
2004504759.tif 000019
2004504759.tif 000020
2004504759.tif 000021
2004504759.tif 000022
2004504759.tif 000023
2004504759.tif 000024
2004504759.tif 000025
2004504759.tif 000026
2004504759.tif 000027
【国際公開パンフレット（コレクトバージョン）】
2004504759.tif 000028
2004504759.tif 000029
【国際調査報告】
2004504759.tif 000030
2004504759.tif 000031
2004504759.tif 000032